(57)【要約】【課題】スプレー相からベンド相への相転移を起こすのに必要な初期駆動電圧を低くすることができ、ベンド相への相転移時間が短くすることにより、隣接するセルへの相伝播を容易にすると共に、下部の金属配線との寄生容量の生成問題を解決する液晶表示装置及びその製造方法を提供する。【解決手段】画素電極である第１電極間の間隔を３μｍ以下に形成して、下部の金属配線との間隔が３μｍ以上になるように絶縁膜を形成することによって、ＯＣＢモードの液晶表示装置の液晶の初期駆動電圧すなわち、スプレー相からベンド相への相転移を起こすのに必要な初期駆動電圧を低くし、隣接するピクセルへの相の伝播を容易にすると共に、下部の金属配線との寄生容量の生成問題を解決した。【選択図】図４
2006139243.tif 000002
【特許請求の範囲】
【請求項１】
第１基板と、
前記第１基板の一側表面上に形成された導電層と、
前記導電層上に形成されて、３μｍ以上の厚さを有する絶縁膜と、
前記絶縁膜上に形成されて、３μｍ以下の間隔を有する複数の第１電極と、
前記第１基板と対向し、該第１基板と対向する一側表面に第２電極が形成された第２基板と、
前記第１基板と第２基板との間に介在された液晶層と、
を含むことを特徴とする液晶表示装置。
【請求項２】
前記導電層は、前記第１電極同士の間に対応する位置に形成されていることを特徴とする請求項１に記載の液晶表示装置。
【請求項３】
前記絶縁膜は、平坦化層であることを特徴とする請求項１又は請求項２に記載の液晶表示装置。
【請求項４】
前記絶縁膜は、ベンゾシクロブテン（ＢＣＢ）又はアクリル系物質であることを特徴とする請求項１乃至請求項３のいずれか一項に記載の液晶表示装置。
【請求項５】
前記導電層は、金属配線であることを特徴とする請求項１乃至請求項４のいずれか一項に記載の液晶表示装置。
【請求項６】
前記金属配線は、スキャンライン、データライン及びコモンラインのうちいずれか一つであることを特徴とする請求項５に記載の液晶表示装置。
【請求項７】
前記第１電極上に第１配向膜が形成され、前記第２電極上に第２配向膜が形成されていることを特徴とする請求項１乃至請求項６のいずれか一項に記載の液晶表示装置。
【請求項８】
前記第１配向膜及び第２配向膜のラビング方向が同一な方向であることを特徴とする請求項７に記載の液晶表示装置。
【請求項９】
前記第１配向膜及び第２配向膜のプレチルト角が５〜２０゜であることを特徴とする請求項７又は請求項８に記載の液晶表示装置。
【請求項１０】
前記第１配向膜及び第２配向膜の厚さは、５００〜１０００Åであることを特徴とする請求項７に記載の液晶表示装置。
【請求項１１】
前記第１基板の他側表面上に第１偏光板が形成され、前記第２基板の他側表面上に二軸補償フィルム及び第２偏光板が形成されたことを特徴とする請求項１に記載の液晶表示装置。
【請求項１２】
前記第１偏光板及び第２偏光板は、偏光軸が交差することを特徴とする請求項１１に記載の液晶表示装置。
【請求項１３】
前記液晶層の厚さは、１．５〜２．５μｍであることを特徴とする請求項１に記載の液晶表示装置。
【請求項１４】
前記液晶層は、前記第１電極と第２電極の電位差が１５〜２５Ｖの範囲でスプレー相からベンド相へ転移することを特徴とする請求項１に記載の液晶表示装置。
【請求項１５】
前記液晶層の転移時間は、０．２〜１秒であることを特徴とする請求項１４に記載の液晶表示装置。
【請求項１６】
前記液晶層は、誘電率異方性を有するある液晶であることを特徴とする請求項１に記載の液晶表示装置。
【請求項１７】
前記第１基板の他側表面側に光源装置が配置されていることを特徴とする請求項１に記載の液晶表示装置。
【請求項１８】
前記光源装置は、反射板、拡散板及びＬＥＤで構成されていることを特徴とする請求項１７に記載の液晶表示装置。
【請求項１９】
前記ＬＥＤの発光色は、Ｒ（赤）、Ｇ（緑）及びＢ（青）群、及びＣ（シアン）、Ｍ（マゼンタ）及びＹ（イエロー）群のうちいずれか一つ以上であることを特徴とする請求項１８に記載の液晶表示装置。
【請求項２０】
前記ＬＥＤの発光色は、Ｗ（白）であることを特徴とする請求項１８に記載の液晶表示装置。
【請求項２１】
前記第２電極と第２基板間にカラーフィルターが配置されていることを特徴とする請求項１に記載の液晶表示装置。
【請求項２２】
前記液晶層は、ＯＣＢ型液晶で構成されていることを特徴とする請求項１に記載の液晶表示装置。
【請求項２３】
第１基板上に導電層を形成する工程と、
前記導電層が形成された前記第１基板上に３μｍ以上の厚さを有する絶縁膜を形成する工程と、
前記絶縁膜が形成された第１基板上に第１電極物質を形成する工程と、
前記第１電極物質をパターニングして３μｍ以下の間隔を有する複数の第１電極を形成する工程と、
第２基板上に第２電極を形成する工程と、
前記第１電極と前記第２電極とが互に対向すると共に、前記第１基板と前記第２基板を封止する工程と、
前記第１基板と第２基板間に液晶を封入して液晶層を形成する工程と、
を含むことを特徴とする液晶表示装置の製造方法。
【請求項２４】
前記第１電極を形成した後、第１配向膜を形成する工程と、
前記第２電極を形成した後、第２配向膜を形成する工程と、
を含むことを特徴とする請求項２３に記載の液晶表示装置の製造方法。
【請求項２５】
前記第１配向膜及び前記第２配向膜を形成した後、前記第１配向膜及び前記第２配向膜を同一な方向にラビングする工程を含むことを特徴とする請求項２３に記載の液晶表示装置の製造方法。
【請求項２６】
前記絶縁膜を形成する工程は、ベンゾシクロブテン（ＢＣＢ）又はアクリル系物質をスピンコーティング法で形成する工程であることを特徴とする請求項２３に記載の液晶表示装置の製造方法。
【請求項２７】
前記第１基板と前記第２基板を封止する工程は、前記第１基板と前記第２基板間の間隔が１．５〜２．５μｍを維持するように封止することを特徴とする請求項２３に記載の液晶表示装置の製造方法。
【発明の詳細な説明】
【技術分野】
【０００１】
本発明は、液晶表示装置及びその製造方法に係り、さらに詳しくは、画素電極を間隔である３μｍ以下である第１電極を形成して、第１電極の下部に位置する金属配線との距離が３μｍ以上が維持されるように絶縁膜を形成する液晶表示装置及びその製造方法に関する。
【背景技術】
【０００２】
情報化社会が進展するに従い、大容量の情報を処理してこれを表示する表示装置が開発されている。近年では、平板表示装置が注目を集め始め、薄形化、軽量化及び低消費電力化などの長所を持っている液晶表示装置が特に注目を集めている。
【０００３】
液晶表示装置の駆動原理は液晶の光学的異方性と分極性質を利用する。液晶は構造が長いため分子の配列に方向性を持っており、人為的に液晶に電界を印加して分子配列の方向を制御することができる。このような電界による液晶分子の配列方向を制御することによって、光学的異方性を制御することができて液晶を通過する光を制御して画面に画像情報を表現することができる。
【０００４】
このような液晶表示装置の多くの方式のうちで速い応答速度及び広い視野角を有するためにＯＣＢ（Optically Compensated Bend）方式が開発されている。
【０００５】
このＯＣＢ方式の液晶表示装置は、画素電極と共通電極上にそれぞれ配向膜を形成し、対向する配向膜に同じ方向にラビング処理を施し、画素電極と共通電極との間の一対の配向膜同士の間に液晶を注入した後、初期に高電圧を印加して液晶をスプレー相（Splay Phase）からベンド相（Bend Phase）に相変移を起こした後、液晶をオン／オフさせ画像情報を表現する液晶表示装置である。
【０００６】
しかし、このようなＯＣＢ方式の液晶表示装置は、ベンド相への相変移を起こす初期電圧が高くて、隣接する画素（ピクセル）への相伝播が難しいだけでなく相変移が起こる時間が数秒程度かかる短所がある。
【発明の開示】
【発明が解決しようとする課題】
【０００７】
したがって、本発明は、このような従来技術の問題点を解決するために創案されたものあって、ＯＣＢモードの液晶の初期駆動電圧すなわち、スプレー相からベンド相への相転移を起こすのに必要な初期駆動電圧を低くすることができ、ベンド相への相転移時間が短くすることにより、隣接するセルへの相伝播を容易にすると共に、下部の金属配線との寄生容量の生成問題を解決する液晶表示装置及びその製造方法を提供することを目的とする。
【課題を解決するための手段】
【０００８】
そこで、本発明の第１の特徴は、液晶表示装置であって、第１基板と、前記第１基板の一側表面上に形成された導電層と、前記導電層上に形成されて、３μｍ以上の厚さを有する絶縁膜と、前記絶縁膜上に形成されて、３μｍ以下の間隔を有する複数の第１電極と、前記第１基板と対向し、該第１基板と対向する一側表面に第２電極が形成された第２基板と、前記第１基板と第２基板との間に介在された液晶層と、を含むことを要旨とする。
【０００９】
本発明の第２の特徴は、液晶表示装置の製造方法であって、第１基板上に導電層を形成する工程と、前記導電層が形成された前記第１基板上に３μｍ以上の厚さを有する絶縁膜を形成する工程と、前記絶縁膜が形成された第１基板上に第１電極物質を形成する工程と、前記第１電極物質をパターニングして３μｍ以下の間隔を有する複数の第１電極を形成する工程と、第２基板上に第２電極を形成する工程と、前記第１電極と前記第２電極とが互に対向すると共に、前記第１基板と前記第２基板を封止する工程と、前記第１基板と第２基板間に液晶を封入して液晶層を形成する工程と、を含むことを要旨とする。
【発明の効果】
【００１０】
したがって、本発明によれば、画素電極である第１電極間の間隔を３μｍ以下に形成して、下部の金属配線との間隔が３μｍ以上になるように絶縁膜を形成することによって、ＯＣＢモードの液晶表示装置の液晶の初期駆動電圧、すなわちスプレー相からベンド相への相転移を起こすのに必要な初期駆動電圧を低くすることができ、人工核を作る問題を解決することができて、ベンド相への相転移時間が短くなって、隣接するセルへの相伝播が容易になるだけでなく、下部の金属配線との寄生容量の生成問題を解決することができる効果がある。
【発明を実施するための最良の形態】
【００１１】
以下、本発明の実施の形態に係る液晶表示装置及びその製造方法の詳細を図面に基づいて説明する。但し、図面は模式的なものであり、各材料層の厚みやその比率などは現実のものとは異なることに留意すべきである。したがって、具体的な厚みや寸法は以下の説明を参酌して判断すべきものである。また、図面相互間においても互いの寸法の関係や比率が異なる部分が含まれていることは勿論である。また、各実施の形態において、同一部材は同一の符号を付して説明する。
【００１２】
図１〜図４は、本発明の実施の形態に係る液晶表示装置の製造方法を示す断面図である。
【００１３】
図１に示すように、例えば、ガラス、プラスチック等のような透明な材料でなる第１基板１０１の一側表面上に、スキャンライン、データライン及びコモンライン等のような部材を形成する。このとき、スキャンライン、データライン及びコモンラインは、各ピクセルに電気的信号を伝達するために伝導性の金属配線１０２で形成する。このとき、第１基板１０１の一側表面上に薄膜トランジスタ及びキャパシタをさらに形成することができる。
【００１４】
続いて、多くの金属配線１０２が形成された基板上に、下部部材を保護するパッシベーション層又は下部のモーフォロジーを除去する平坦化層のような絶縁膜１０３を形成する。この絶縁膜１０３は、ベンゾシクロブテン（ＢＣＢ）又はアクリル（acrylic）系物質等のような高分子有機物をスピンコーティング法で単層又は多層で形成して、その厚さが３μｍ以上になるように形成する。
【００１５】
続いて、絶縁膜１０３が形成された第１基板１０１上にＩＴＯ（Indium-Tin Oxide）又はＩＺＯ（Indium Zinc Oxide）等のような透明な導電体で第１電極物質を物理的気相蒸着法（Physical Vapor Deposition）又は化学的気相蒸着法（Chemical Vapor Deposition）等を利用して蒸着する。
【００１６】
続いて、第１電極物質をパターニングして第１電極１０４を形成する。このとき、第１電極１０４間の間隔（すなわち、図面符号Ａの長さ）が３μｍ以下になるように形成する。図１に示すように、第１電極１０４間の間隔が狭くなって下部の金属配線１０２と重なる領域が発生して、絶縁膜の厚さが薄ければ、第１電極１０４と金属配線１０２間Ｂには寄生容量が発生するようになって液晶表示装置の特性に悪影響を与えるようになる。しかし、本発明では絶縁膜１０３の厚さを十分に厚く形成（３μｍ以上）することによって、第１電極１０４と金属配線１０２間には寄生容量が発生しなくなる。
【００１７】
このとき、スキャンライン、データライン及びコモンラインのような金属配線１０２は、第１電極１０４間の下部に位置するようになる。一般的に金属配線１０２で各ピクセルの領域が定義される。すなわち、スキャンライン、データライン及びコモンラインは相互に垂直をなすように形成されて、スキャンライン、データライン及びコモンラインにより分けられる一つの区域が一つのピクセルと定義される。
【００１８】
続いて、第１電極１０４が形成された基板上にポリイミドのような高分子物質を用いて５００〜１０００Åの厚さを有する第１配向膜１０５を形成する。このとき、配向膜を形成する方法はスピンコーティング法、ディッピング法又はローラコーティング法等のような方法を利用して形成することができるが、望ましくはローラコーティング法で形成する。
【００１９】
続いて、上記配向膜第１配向膜１０５を特定の方向にラビング（Ｒｕｂｂｉｎｇ）する工程を行う。このとき、第１配向膜１０５は、一定な方向に谷を形成して以後注入される液晶が一定な方向に配向されるようにする役割をするようになる。
【００２０】
一方、図２に示すように、ガラスやプラスチックのような透明な材料でなる第２基板２０１の一側表面上に共通電極である第２電極２０２を、ＩＴＯ又はＩＺＯのような透明な導電体を物理的気相蒸着法又は化学的気相蒸着法を利用して形成する。
【００２１】
続いて、この第２電極２０２が形成された第２基板２０１上に５００〜１０００Åの厚さを有する第２配向膜２０３を形成する。このとき、第２配向膜２０３は、第１配向膜１０５と同様にポリイミドのような高分子物質をスピンコーティング法、ディッピング法又はローラコーティング法のうちいずれか一つを利用して形成する。
【００２２】
次に、第２配向膜２０３を、上記第１配向膜１０５と同じ方向にラビングする。
【００２３】
このとき、第１配向膜１０５及び第２配向膜２０３のラビング工程は第１配向膜１０４及び第２配向膜２０３によるプレチルト角（Ｐｒｅｔｉｌｔ  Ａｎｇｌｅ）が５〜２０゜を有するようにする。
【００２４】
そして、図３に示すように、多くの素子が形成された第１基板１０１と第２基板２０１を第１電極１０４と第２電極２０２が相互に向い合いながら対向するように封止して液晶表示装置を一部完成する。
【００２５】
このとき、第１基板１０１と第２基板２０１との間に１．５〜２．５μｍの空いた空間が形成されるようにする。すなわち、第１配向膜１０５と第２配向膜２０３間の間隔（すなわち、図面符号Ｔの長さ）が１．５〜２．５μｍになるように形成する。
【００２６】
このとき、第１配向膜１０５と第２配向膜２０３の間隔の設定は、封止工程で両基板間にスペーサを挿入することで可能である。
【００２７】
続いて、これら第１基板１０１と第２基板２０１との間の空間にＯＣＢモードの液晶３００を注入（封入）する液晶注入工程を行う。この液晶注入工程は、液晶表示装置を液晶３００が入れられた容器を有する真空装置に入れ、真空装置内部を真空状態に作ることで両基板間の空いた空間も真空状態になって、液晶表示装置を液晶３００の中に浸したとき、真空装置内部の真空程度を低くめることによって、毛細管作用及び圧力差により前記液晶表示装置内部の空いた空間に液晶３００が注入される。このとき、注入された液晶３００は液晶層を形成するようになるが、その厚さは第１配向膜１０５と第２配向膜２０３間の間隔と同一になる。
【００２８】
このように、注入された液晶は図３に示すように第１配向膜１０５及び第２配向膜２０３により中心を基準にして相互に対称な形態に配列されて、配向膜に近い位置にある液晶は配向膜のプレチルト角により所定の傾斜角を有し、反面中心部は傾斜角が０゜近くになる。なお、液晶３００は誘電率異方性が大きいことが望ましい。
【００２９】
図４に示すように、第１基板１０１の他側表面側に第１偏光板４０１と反射板４０２、拡散板４０３及び光を照射するＬＥＤ４０４を含む光源装置を配置する。このとき、第１偏光板４０１は、第１基板１０１上に多くの素子を形成するときに同時に形成しても構わない。
【００３０】
ここで、ＬＥＤ４０４はＲ（赤）、Ｇ（緑）及びＢ（青）群及びＣ（シアン）、Ｍ（マゼンタ）及びＹ（イエロー）群のうちいずれか一つ以上の群を利用することができる。また、ＬＥＤ４０４は、Ｗ（白）の光を発光するようにしてもよい。
【００３１】
このとき、第２基板２０１の他側表面上にも二軸補償板（Biaxal Compensation Film）４０５及び第２偏光板４０６を形成することができる。このとき、第１偏光板４０１と第２偏光板４０６は偏光軸が相互に直交するように形成する。
【００３２】
また、ＬＥＤ４０４の発光色が白色である場合には、第２電極２０２と第２基板２０１間に相隣接する第１電極１０４同士の間隔Ａ、すなわち、第１電極１０４が存在しない領域と対応する領域にはブラックマトリクス（ＢＭ：Black Matrix）を、第１電極と対応する領域にカラーフィルタを形成することができる。
【００３３】
なお、図５及び図６は、それぞれ従来技術である比較例と本発明により形成された液晶表示装置で第１電極と第２電極間のエネルギー分布を説明するための概略図であって、第１電極５０１ａ、５０１ｂ、５０１ｃ及び５０１ｄと前記第１電極５０１ａ、５０１ｂ、５０１ｃ及び５０１ｄと対応する第２電極５０２ａ及び５０２ｂが形成された液晶表示装置に一定な電圧を印加した時のそれぞれの電界強さ５０３ａ及び５０３ｂ、ベンド相の安定化度５０４ａ及び５０４ｂ及びスプレー相の安定化度５０５ａ及び５０５ｂを表示した。
【００３４】
図５に示す従来の技術により形成された液晶表示装置（比較例）の液晶の動作を示す概略図において、電界強さ５０３ａは、第１電極５０１ａ及び５０１ｂ間の間隔Ｃが３μｍ以上形成されていて、間隔Ｃの中央部で低いことを見ることができる。これにより、ベンド相安定化度５０４ａがスプレー相安定化度５０５ａより低くなって（Ｅ領域）これにより液晶はスプレー相で維持することがさらに安定な状態になる。
【００３５】
これに反して図６に示す本発明により形成された液晶表示装置の液晶の動作原理を示す概略図では、電界強さ５０３ｂが、第１電極５０１ｃ及び５０１ｄ間の間隔Ｄが３μｍ以下に形成されていて、間隔Ｄの中央部で高いことを見ることができ、これにより、この部分でベンド相安定化度５０４ｂがスプレー相安定化度５０５ｂより高くなってこれにより液晶はベンド相に相変移を起こすようになる。
【００３６】
したがって、第１電極間の間隔を３μｍ以下に形成するようになれば、第１電極の間隔に存在する液晶等も電界の強度が強いのでスプレー相よりはベンド相である時さらにエネルギー的に安定であるのでベンド相に相変移が容易に起こるようになる。
【００３７】
図７及び図８は、従来技術と本発明により形成された液晶表示装置の液晶動作原理を説明するための概略図である。図７及び図８を参照すると、図７で見るように第１ピクセルと第２ピクセル（この時、前記第１ピクセルは符号５０１ａの第１電極を含むピクセルであって、第２ピクセルは符号５０１ｂの第１電極を含むピクセルである。）の第１電極５０１ａ及び５０１ｂ及び第２電極５０２ａに一定な電圧（初期電圧）を印加した時、第１電極５０１ａ及び５０１ｂ及び第２電極５０２ａ間に存在する液晶５０６は前記電圧により発生した電界と核生成（この時、前記核生成は確率的に発生するので特定領域では発生しないことがある）によりスプレー相からベンド相に相転移になって大部分のピクセル（第１ピクセル）の液晶が初期電圧によりベンド相の液晶５０６ａに相転移を起こすようになる。
【００３８】
しかし、一部ピクセル（第２ピクセル）は核生成が発生しなくて（確率的に発生しない可能性がある）相転移を起こすのに十分な初期電圧が印加されても相転移を起こさず、スプレー相の液晶５０６ｂで存在するようになる。
【００３９】
このとき、第１電極５０１ａ及び５０１ｂの間隔上に位置した液晶５０６ｃは図５を参照した説明と同じ理由でスプレー相の液晶を維持するようになる。
【００４０】
一般的に液晶は相を伝播する特性があるが一定な時間が経過された後にもスプレー相の液晶５０６ｂは相変らずスプレー相を維持するようになる。このような理由は、第１電極５０１ａ及び５０１ｂの間隔Ｃがあまり広くて、間隔Ｃ上に存在する液晶５０６ｃはベンド相に転移するにはエネルギー的に不安定なためベンド相の液晶５０６ａの相がスプレー相の液晶５０６ｃに伝播されなくなるからである。
【００４１】
したがって、初期電圧印加にもかかわらず、スプレー相を維持する液晶５０６ｃが存在するピクセル（第２ピクセル）は正常的な作動をせず液晶表示装置の性能を低下させるようになる。
【００４２】
これに反し、図８に示すように、本発明により形成された液晶表示装置の場合には確率的に核生成が発生しなくていずれか特定のピクセル（第３ピクセル）の液晶がスプレー相の液晶５０７ａで存在していても、初期電圧により隣接するピクセル（第４ピクセル）の液晶がベンド相の液晶５０７ｂに相転移を起こして、図６を参照した説明と同じ理由で第１電極５０１ｃ及び５０１ｄの間隔上に存在する液晶がベンド相の液晶５０７ｃに相転移を起こすならば、一定な時間が経過した後にはベンド相の液晶５０７ｂに相転移したピクセル（第４ピクセル）の相が伝播５０８されてスプレー相の液晶５０７ａもベンド相の液晶５０７ｄに相転移を起こすようになる。この時、第３ピクセルは符号５０１ｄの第１電極を含むピクセルであって、第４ピクセルは符号５０１ｃの第１電極を含むピクセルである。
【００４３】
この時、第１電極５０１ｃ及び５０１ｄ及び第２電極（５０２ｂ）に印加される初期電圧は従来技術により形成された液晶表示装置より低くめることができるようになるが、本発明における初期電圧は１５〜２５Ｖ、望ましくは２０Ｖで印加しても可能になる。このような理由は図８を参照しながら説明すれば、印加された電圧が２５Ｖ以上であればほとんどすべてのピクセルをベンド相に転移するようになるが、２５Ｖより低い電圧すなわち、２０Ｖが印加されるようになれば核生成が円滑に行われなくて多くの数のピクセル（第３ピクセルのようなピクセル）が発生するようになるが、隣接するピクセルのうち一つのピクセル（第４ピクセル）がベンド相に転移に成功しさえすれば転移されないピクセル（第３ピクセル）も相の伝播によりベンド相に転移するようになるので低い電圧でも全体ピクセルの相転移が可能になる。
【００４４】
また、相転移時間は、０．２〜１秒でも十分に相転移が完了することができるようになる。このような理由も上述したようにいずれか一つのピクセル（第４ピクセル）が先にベンド相に転移に成功するようになれば隣接するピクセル（第３ピクセル）に相を伝播するようになるので隣接するピクセル（第３ピクセル）も容易にベンド相に速い時間に転移され従来の数秒程度かかる相転移時間が０．２〜１秒でも十分に完了するようになる。
【００４５】
したがって、いずれか特定のピクセル（第３ピクセル）で十分な初期電圧を印加しても確率的に核生成が起こらなくてベンド相への相転移が起こらないとしても、ピクセル間の間隔が３μｍ以下の間隔を持っている場合には、ピクセル間の液晶等も電界の集中によりベンド相への相転移が容易に起こることができて、ベンド相への相転移が起こったピクセル（第４ピクセル）で相の伝播が起きてスプレー相のいずれか特定のピクセル（第３ピクセル）をベンド相に相転移を起こすことができる。
【００４６】
結果的に、図４及び図８を参照して説明すれば、ピクセル間の間隔が３μｍ以下に形成するようになれば、いずれか特定のピクセルが初期電圧を印加してもベンド相への相転移が発生しないとしても隣接するピクセルのベンド相の相が容易に伝播されて相転移が起こらないピクセルをベンド相に相転移をさせることができることになる。しかし、ピクセル間の間隔が３μｍ以下に近づくようになるによって第１電極下部に形成された配線等のような導電体と寄生容量を発生させる問題があるため第１電極下部の導電体との間隔が３μｍ以上を維持するように絶縁膜を形成することによって、ベンド相への相転移時間が短くなって、隣接するセルへの相伝播が容易になるだけでなく、下部の金属配線との寄生容量の生成問題を解決することができる効果がある。
【００４７】
上述した実施の形態の開示の一部をなす論述および図面はこの発明を限定するものであると理解すべきではない。この開示から当業者には様々な代替実施の形態、実施例および運用技術が明らかとなろう。
【図面の簡単な説明】
【００４８】
【図１】本発明の実施の形態に係る液晶表示装置の製造方法を示す断面図である。
【図２】本発明の実施の形態に係る液晶表示装置の製造方法を示す断面図である。
【図３】本発明の実施の形態に係る液晶表示装置の製造方法を示す断面図である。
【図４】本発明の実施の形態に係る液晶表示装置を示す断面図である。
【図５】比較例である液晶表示装置で第１電極と第２電極間のエネルギー分布を説明するための概略図である。
【図６】本発明に係る液晶表示装置で第１電極と第２電極間のエネルギー分布を説明するための概略図である。
【図７】比較例である液晶表示装置の液晶動作原理を説明するための概略図である。
【図８】本発明に係る液晶表示装置の液晶動作原理を説明するための概略図である。
【符号の説明】
【００４９】
１０２  金属配線
１０３  絶縁膜
１０４  第１電極
１０５  第１配向膜
２０２  第２電極
２０３  第２配向膜
３００  液晶
【図１】
2006139243.tif 000003
【図２】
2006139243.tif 000004
【図３】
2006139243.tif 000005
【図４】
2006139243.tif 000006
【図５】
2006139243.tif 000007
【図６】
2006139243.tif 000008
【図７】
2006139243.tif 000009
【図８】
2006139243.tif 000010